(57)【特許請求の範囲】
【請求項１】
マルチ・モード・モバイル・デバイスにおける最適な通信技術の適用を容易にする方法であって、
前記マルチ・モード・モバイル・デバイスに利用可能な通信技術を決定することと、
利用可能なおのおのの通信技術に関連する複数の特性を取得することと、ここで、前記複数の特性は、前記利用可能なおのおのの通信技術を用いることに関連付けられた前記マルチ・モード・モバイル・デバイスの外部の特性と内部の特性との両方を含み、前記内部の特性は、前記マルチ・モード・モバイル・デバイスにおける電力消費量を備える、
前記利用可能なおのおのの通信技術に関連付けられた値を生成するために、前記取得された特性を分析することと、
前記生成された値に基づいて、前記利用可能な通信技術をランク付けすることと、
サービス・タイプによってインデクスされたテーブル内に、前記利用可能な通信技術のランク付けを保持することと、
特定のサービス・タイプに関連付けられたサービス要求を受信することと、
前記サービス要求に関連付けられた特定のサービス・タイプを用いて前記ランク付を、前記テーブルに問い合わせることと、
前記サービス要求のサービス・タイプに関連付けられた、最高ランクの通信技術を取得することと
を備え、
前記利用可能なおのおのの通信技術に関連付けられた生成された値は、前記取得された特性の集合を含み、前記集合は、複数の基準にしたがって決定される、方法。
【請求項２】
前記最高ランクの通信技術を適用するように、前記マルチ・モード・モバイル・デバイスを設定することをさらに備える請求項１に記載の方法。
【請求項３】
前記サービス要求に応えるために、前記最高ランクの通信技術でトラフィック・セッションを開始することをさらに備える請求項２に記載の方法。
【請求項４】
前記取得された特性を分析することは、前記マルチ・モード・モバイル・デバイスにアクセス可能なおのおののサービス・タイプの観点から、利用可能なおのおのの通信技術のための特性を個別に分析することを含む請求項１に記載の方法。
【請求項５】
前記複数の基準は、最低電力消費量、最高データ・レート、最低干渉、または最低送信コストのうちの少なくとも１つを含む請求項１に記載の方法。
【請求項６】
無線通信技術を切り換えることを容易にする装置であって、
利用可能なおのおのの無線通信技術に関連する複数の特性を取得することであって、前記複数の特性は、前記利用可能なおのおのの無線通信技術を用いることに関連付けられたマルチ・モード・モバイル・デバイスの外部の特性と内部の特性との両方を含み、前記内部の特性は、前記マルチ・モード・モバイル・デバイスにおける電力消費量を備えることと、前記利用可能なおのおのの無線通信技術に関連付けられた値を生成するために、前記取得された特性を分析することと、前記生成された値に基づいて、利用可能な複数の無線通信技術のランク付けを生成することとを実行する技術評価部と、
前記生成されたランク付けを保持する、サービス・タイプによってインデクスされたテーブルと、
特定のサービス・タイプのトラフィック・セッションを開始する要求を含む、到来するサービス要求に関連付けられたサービス・タイプを決定するサービス確認モジュールと、
前記サービス要求に関連付けられた特定のサービス・タイプを用いて、前記ランク付けを前記テーブルに問い合わせることと、前記サービス要求のサービス・タイプに関連付けられた最高ランクの無線通信技術を取得することとによって、前記複数の無線通信技術から技術を選択する技術選択部と
を備え、
前記利用可能なおのおのの無線通信技術に関連付けられた生成された値は、前記取得された特性の集合を含み、前記集合は、複数の基準にしたがって決定される、装置。
【請求項７】
利用可能な複数の無線通信技術を、電力消費量に基づいて評価する電力分析モジュールをさらに備える請求項６に記載の装置。
【請求項８】
利用可能な複数の無線通信技術を、少なくとも１ビットを送信するためのコストにしたがって評価する送信コスト分析モジュールをさらに備える請求項６に記載の装置。
【請求項９】
前記利用可能な複数の無線通信技術において経験された干渉レベルを確認する干渉分析モジュールさらに備える請求項６に記載の装置。
【請求項１０】
前記利用可能な複数の無線通信技術の１または複数の特性を、サービス・タイプに基づいて評価するサービス要求分析モジュールをさらに備える請求項６に記載の装置。
【請求項１１】
前記サービス要求分析モジュールは、前記１または複数の特性に関連付けられた値から、おのおののサービス・タイプの合成値を生成する請求項１０に記載の装置。
【請求項１２】
おのおののサービス・タイプの、生成された合成値をソートするランク付けモジュールをさらに備える請求項１０に記載の装置。
【請求項１３】
前記技術評価部は、おのおののサービス・タイプが、ユニークなランク付けに対応するように、前記テーブルを生成する請求項６に記載の装置。
【請求項１４】
サービス・タイプに基づいて無線通信技術を切り換えることを容易にする無線通信装置であって、
１または複数の利用可能な無線通信技術について、複数の特性を取得する手段と、ここで、前記複数の特性は、前記利用可能なおのおのの無線通信技術を用いることに関連付けられたマルチ・モード・モバイル・デバイスの外部の特性と内部の特性との両方を含み、前記内部の特性は、前記マルチ・モード・モバイル・デバイスにおける電力消費量を備える、
前記取得された特性、サービス・タイプ、および、複数の基準に基づいて、利用可能なおのおのの無線通信技術の集合値を生成する手段と、
前記おのおのの無線通信技術の集合値にしたがって、利用可能な無線通信技術をランク付ける手段と、
サービス・タイプによってインデクスされたテーブル内に、前記利用可能な無線通信技術のランク付けを保持する手段と、
特定のサービス・タイプに関連付けられたサービス要求を受信する手段と、
前記サービス要求に関連付けられた特定のサービス・タイプを用いて前記ランク付を、前記テーブルに問い合わせる手段と、
前記サービス要求のサービス・タイプに関連付けられた、最高ランクの無線通信技術を取得することによって、前記１または複数の利用可能な無線通信技術から、無線通信技術を選択する手段と、
前記選択された無線通信技術にしたがって動作するようにモバイル・デバイスを設定する手段と
を備える無線通信装置。
【請求項１５】
無線通信技術のランク付けを保持するテーブルを生成する手段をさらに備える請求項１４に記載の無線通信装置。
【請求項１６】
前記複数の特性は、前記外部の特性として、無線通信技術で経験された干渉レベル、無線通信技術においてビットを送信するためのコスト、または無線通信技術のデータ・レートを含む請求項１４に記載の無線通信装置。
【請求項１７】
コンピュータ読取可能な記録媒体であって、
少なくとも１つのコンピュータに対して、特定の地理的領域で利用可能な無線通信技術を確認させるためのコードと、
おのおのの無線通信技術に関連する複数の特性を取得するために、前記少なくとも１つのコンピュータに対して、前記利用可能な無線通信技術を探索させるためのコードと、ここで、前記複数の特性は、前記利用可能なおのおのの無線通信技術を用いることに関連付けられたマルチ・モード・モバイル・デバイスの外部の特性と内部の特性との両方を含み、前記内部の特性は、前記マルチ・モード・モバイル・デバイスにおいて前記利用可能なおのおのの無線通信技術を用いることに関連付けられた電力消費量を備える、
利用可能なおのおのの無線通信技術に関連付けられた値を生成するために、前記少なくとも１つのコンピュータに対して、前記取得された特性を分析させるためのコードと、
前記生成された値に基づいて、前記少なくとも１つのコンピュータに対して、前記利用可能な無線通信技術を準備させるためのコードと、
前記少なくとも１つのコンピュータに対して、サービス・タイプによってインデクスされたテーブル内に、前記利用可能な無線通信技術のランク付けを保持させるためのコードと、
前記少なくとも１つのコンピュータに対して、特定のサービス・タイプに関連付けられたサービス要求を取得させるためのコードと、
前記少なくとも１つのコンピュータに対して、少なくとも、前記サービス要求に関連付けられた特定のサービス・タイプを用いて前記ランク付を前記テーブルに問い合わせさせるためのコードと、
前記少なくとも１つのコンピュータに対して、前記サービス要求のサービス・タイプに関連付けられた、最高ランクの無線通信技術を取得させるためのコードと、
を記録し、
前記利用可能なおのおのの無線通信技術に関連付けられた生成された値は、前記取得された特性の集合を含み、前記集合は、複数の基準にしたがって決定される、コンピュータ読取可能な記録媒体。
【請求項１８】
前記少なくとも１つのコンピュータに対して、前記最高ランクの無線通信技術を適用するように、マルチ・モード・モバイル・デバイスを設定させるためのコードをさらに記録した請求項１７に記載のコンピュータ読取可能な記録媒体。
【請求項１９】
前記少なくとも１つのコンピュータに対して、前記サービス要求に応えるために、前記最高ランクの無線通信技術でトラフィック・セッションを開始させるためのコードを記録した請求項１８に記載のコンピュータ読取可能な記録媒体。
【発明の詳細な説明】
【技術分野】
【０００１】
以下の記載は、一般に、無線通信に関し、さらに詳しくは、最適なサービス品質を提供するための技術の動的な選択および／または切換を適用することに関する。
【背景技術】
【０００２】
無線通信システムは、例えば、音声、データ等のようなさまざまなタイプの通信コンテンツを提供するために広く開発された。一般に、無線通信システムは、利用可能なシステム・リソース（例えば、帯域幅、送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、第３世代パートナシップ計画（３ＧＰＰ）、３ＧＰＰ２、３ＧＰＰロング・ターム・イボリューション（ＬＴＥ）等のような仕様に準拠しうる。
【０００３】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００４】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、またはすべてのデータ・ストリームを受信するために適用されうる。同様に、モバイル・デバイスは、基地局あるいは他のモバイル・デバイスへデータを送信することができる。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されたＭＩＭＯチャネルは、空間チャネルと称されるＮＳ個の独立したチャネルへ分割されうる。ここで、ＮＳ≦｛ＮＴ，ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
モバイル・デバイスは、マルチ・モードになりえる。マルチ・モードのモバイル・デバイスまたはユーザ機器は、無線通信を可能にするためのさまざまな異なる技術、システム、および／または構成を利用しうる。さらに、マルチ・モード・デバイスは、異種のネットワークにおける利用のために構成および展開されうる。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００８】
１または複数の実施形態および対応する開示によれば、マルチ・モード構成における最適技術選択を提供する技術に関連するさまざまな態様が記載される。マルチ・モード・モバイル・デバイスは、さまざまな特性の観点から、最適なサービス品質（ＱＯＳ）を提供するために、特定の技術、システム、および／または、構成を選択および／または利用しうる。例えば、最適技術は、パフォーマンス、コスト、電力消費量、干渉レベル等に基づいて、サービス要求のために選択および適用されうる。マルチ・モードのモバイル・デバイスは、アイドル状態の間、複数の技術の特性を取得しうる。これら特性は、サービス要求タイプおよび取得される特性の観点から、複数の技術の相対的なランク付けを提供するＱＯＳテーブルを生成するために、分析されうる。ＱＯＳテーブルは、サービス要求が開始されると、最適な技術を選択するために利用されうる。
【０００９】
関連する態様によれば、マルチ・モード・モバイル・デバイスにおける最適な技術の適用を容易にする方法が提供される。この方法は、マルチ・モード・モバイル・デバイスに利用可能な通信技術を決定することを備えうる。この方法はまた、利用可能なおのおのの通信技術に関連する複数の特性を取得することを含みうる。さらに、この方法は、利用可能なおのおのの通信技術に関連付けられた値を生成するために、取得された特性を分析することを含みうる。さらに、この方法は、生成された値に少なくとも部分的に基づいて、利用可能な技術をランク付けすることを備えうる。
【００１０】
別の態様は、無線通信技術を切り換えることを容易にする装置に関する。この装置は、技術の１または複数の特性の分析に少なくとも部分的に基づいて、利用可能な複数の通信技術のランク付けを生成する技術評価部を含みうる。この装置はまた、到来するサービス要求に関連付けられたサービス・タイプを決定するサービス確認モジュールを備えうる。ここで、このサービス要求は、特定のタイプのトラフィック・セッションを開始する要求を含む。さらに、この装置は、決定されたサービス・タイプおよび生成されたランク付けに少なくとも部分的に基づいて、複数の技術から技術を選択する技術選択部を備えうる。
【００１１】
さらに別の態様は、サービス・タイプに基づいて通信技術を切り換えることを容易にする無線通信装置に関する。この無線通信装置は、１または複数の利用可能な通信技術について、複数の特性を取得する手段を含みうる。この無線通信装置はまた、取得された特性、サービス・タイプ、および、１または複数の基準に少なくとも部分的に基づいて、利用可能なおのおのの通信技術の集合値を生成する手段を備えうる。さらに、この無線通信装置は、おのおのの技術の集合値にしたがって、利用可能な技術をランク付けする手段を含みうる。さらに、この無線通信装置は、サービス要求を受信すると、技術のランク付けから、技術を選択する手段を備えうる。さらに、この無線通信装置は、選択された技術にしたがって動作するようにモバイル・デバイスを設定する手段を含みうる。
【００１２】
また、別の態様は、コンピュータ読取可能媒体を有しうるコンピュータ・プログラム製品に関する。このコンピュータ読取可能媒体は、少なくとも１つのコンピュータに対して、特定の地理的領域で利用可能な無線通信技術を確認させるためのコードを含みうる。このコンピュータ読取可能媒体は、おのおのの技術に関連する複数の特性を取得するために、少なくとも１つのコンピュータに対して、利用可能な無線通信技術を探索させるためのコードを含みうる。さらに、このコンピュータ読取可能媒体は、利用可能なおのおのの技術に関連付けられた値を生成するために、少なくとも１つのコンピュータに対して、取得された特性を分析させるためのコードを備えうる。さらに、このコンピュータ読取可能媒体は、生成された値に少なくとも部分的に基づいて、少なくとも１つのコンピュータに対して、利用可能な技術を準備させるためのコードを含みうる。
【００１３】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００１４】
【図１】図１は、本明細書に記載されたさまざまな態様にしたがう無線通信システムの図示である。
【図２】図２は、態様にしたがって、無線通信環境において適用される通信装置の例の図示である。
【図３】図３は、複数の技術特性についての分析を提供する通信装置の例の図示である。
【図４】図４は、サービス要求および１または複数の基準に少なくとも部分的に基づいて、複数の技術から技術を評価および選択することを容易にするシステムの例の図示である。
【図５】図５は、主題とする開示の態様にしたがって、サービス・タイプによってインデクスされた技術ランク付けを取得するテーブルの例の図示である。
【図６】図６は、複数の特性に基づいて１または複数の技術をリストするテーブルを生成することを容易にする方法の例の図示である。
【図７】図７は、１または複数の技術をランク付けするテーブルに基づいて、最適な技術の選択を容易にする技術の例の図示である。
【図８】図８は、主題とする開示の態様にしたがって、最適な技術のトラフィック・セッションの開始を容易にする方法の例の図示である。
【図９】図９は、複数の技術から最適な技術を評価および選択することを容易にするシステムの例の図示である。
【図１０】図１０は、無線通信におけるマルチ・モード・デバイスの適用を容易にするシステムの例の図示である。
【図１１】図１１は、本明細書に記載されたさまざまなシステムおよび方法と共に適用されうる無線ネットワーク環境の例の図示である。
【図１２】図１２は、最適な技術の選択を容易にするシステムの例の図示である。
【発明を実施するための形態】
【００１５】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００１６】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００１７】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用することができ、アクセス・ポイント、ノードＢ、イボルブド・ノードＢ（ｅＮｏｄｅ  ＢあるいはｅＮＢ）、基地トランシーバ局（ＢＴ）、あるいはその他の用語でも称されうる。
【００１８】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００１９】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）などのような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。ＣＤＭＡ２０００およびＵＭＢは、「第３世代パートナシップ計画プロジェクト」（３ＧＰＰ２）と命名された組織からドキュメントに記述されている。
【００２０】
図１を参照して、本明細書で示されるさまざまな実施形態にしたがう無線通信システム１００が例示される。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２１】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２２】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。例えば、これは、所望の方向に信号を発信するために、プリコーダを用いることによって提供されうる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６およびモバイル・デバイス１２２は、一例として、ピア・ツー・ビアまたはアド・ホック技術を使用して、互いにダイレクトに通信しうる。例によれば、システム１００は、複数入力複数出力（ＭＩＭＯ）通信システムでありうる。さらに、システム１００は、例えばＦＤＤやＴＤＤ等のような通信チャネル（例えば、順方向リンク、逆方向リンク）を分割するために、実質的に任意のタイプのデュプレクス技術を利用しうる。
【００２３】
例示によれば、モバイル・デバイス１１６、１２２は、基地局１０２を経由した無線通信を可能にするためにさまざまな技術またはメカニズムを利用することができるマルチ・モード・デバイスでありうる。例えば、モバイル・デバイス１１６、１２２は、限定される訳ではないが、例えばＷｉ−Ｆｉ（例えば、ＩＥＥＥ  ８０１．１１）、ＷｉＭＡＸ（例えば、ＩＥＥＥ  ８０２．１６）、ＣＤＭＡ符号および／または別のＣＤＭＡ符号、ＴＤＭＡ、ＦＤＭＡ、ＯＦＤＭＡ、ＬＴＥ、ＧＳＭ（登録商標）、ＵＭＴＳ、ＵＴＲＡ、Ｅ−ＵＴＲＡ、ＣＤＭＡ２０００、Ｗ−ＣＤＭＡ、ＵＭＢ、Ｂｌｕｅｔｏｏｔｈ（登録商標）、ＥＶ−ＤＯ、ＨＳＰＡ等のような技術を適用しうる。さらに、モバイル・デバイス１１６、１２２は、複数の特性に基づいて決定された最適な無線通信アクセスをユーザに提供するために、これら技術の選択または切換を行いうる。選択および／または切換を容易にするために、モバイル・デバイス１１６、１２２は、利用可能な技術に関連付けられた特性を取得しうる。これら特性は、利用可能な技術を評価および／またはランク付けするために分析されうる。ランク付けは、サービス要求に応答して、最適な技術の利用を可能にするために適用されうる。
【００２４】
一例において、モバイル・デバイス１１６、１２２は、例えばモバイル・デバイス１１６、１２２が存在する領域のような、所与の位置において、利用可能な技術（例えば、ネットワーク、エア・インタフェース等）を識別しうる。モバイル・デバイス１１６、１２２は、これら利用可能な技術に関連付けられた特性または品質を取得しうる。これら特性は、モバイル・デバイスの外部のもの（例えば、技術で経験される干渉レベル、コスト、パフォーマンス）、および／または、モバイル・デバイスの内部のもの（例えば、電力消費量）でありうる。これら特性は、さまざまな基準の観点から、利用可能な技術をランク付けするために評価されうる。例えば、これら技術は、最低コスト、最高データ・レート、最低電力消費量、最低干渉、特定サービスに対する最適技術、または、これらの組み合わせの観点からランク付けされうる。例えば、おのおのの基準それぞれに基づいていくつかの異種のランク付けが決定され、これら異種のランク付けから、集合されたランク付けが生成されうる。１つの実例では、集合されたランク付けは、異種のランク付けの総和または重み平均でありうる。複数の技術のランク付けを生成するために、さまざまな統計メカニズム、分析的なメカニズム、学習メカニズムが適用されうることが認識されるべきである。モバイル・デバイス１１６、１２２は、データの送信および／または受信、あるいは、呼出を行うために、サービス要求を開始しうる。モバイル・デバイス１１６、１２２は、このサービス要求にサービス提供するセッションを開始するために利用する最適な技術を選択するために、これら生成されたランク付けを適用しうる。
【００２５】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信装置２００は、複数の無線通信技術を適用することができるマルチ・モード装置でありうる。これら無線通信技術は、限定することなく、Ｗｉ−Ｆｉ（例えば、ＩＥＥＥ  ８０１．１１）、ＷｉＭＡＸ（例えば、ＩＥＥＥ  ８０２．１６）、ＣＤＭＡ符号および／または別のＣＤＭＡ符号、ＴＤＭＡ、ＦＤＭＡ、ＯＦＤＭＡ、ＬＴＥ、ＧＳＭ、ＵＭＴＳ、ＵＴＲＡ、Ｅ−ＵＴＲＡ、ＣＤＭＡ２０００、Ｗ−ＣＤＭＡ、ＵＭＢ、Ｂｌｕｅｔｏｏｔｈ、ＥＶ−ＤＯ、ＨＳＰＡ等を含みうる。無線通信を可能にするさらなる技術が適用されうることが認識されるべきである。
【００２６】
通信装置２００は、複数の特性に基づいて、利用可能な無線通信技術のランク付けを生成する技術評価部２０２を含みうる。１つの態様では、技術評価部２０２は、サービス・タイプにしたがってインデクスされた１または複数のランク付けを生成しうる。例えば、技術の１つのランク付けは、音声サービスのために提供され、別のランク付けが、データ・サービスのために提供される等である。技術評価部２０２は、限定される訳ではないが、ビデオ・オン・デマンド、オーディオ・ストリーミング、メディア・ストリーミング、音声トラフィック（例えば、呼出）、インターネット・ブラウジング、電子メール、ショート・メッセージ・サービス（ＳＭＳ）、エンハンスト・メッセージング・サービス（ＥＭＳ）、マルチメディア・メッセージング・サービス（ＭＭＳ）、ボイス・オーバＩＰ（ＶｏＩＰ）、および／または、その他の適切なデータ転送サービスのようなさまざまなサービス・タイプのための技術のリストのランク付けを生成しうる。さらに、利用可能な無線通信技術は、異種の無線通信プロバイダおよび／またはオペレータ、データ・プロバイダ等によって提供される実質的に同一の技術を含みうることが認識されるべきである。
【００２７】
技術評価部２０２は、複数の特性の分析に基づいて、利用可能な無線通信技術の値（例えば、ランキング）を生成する。これら特性は、モバイル・デバイスの外部のもの（例えば、技術で経験される干渉レベル、コスト、パフォーマンス）、および／または、モバイル・デバイスの内部のもの（例えば、電力消費量）でありうる。これら特性は、さまざまな基準の観点から、利用可能な技術のランク付け、または利用可能な技術に値を提供するために評価されうる。例えば、これら技術は、最低コスト、最高データ・レート、最低電力消費量、最低干渉、特定サービスに対する最適技術、または、これらの組み合わせの観点からランク付けされうる。例えば、おのおのの基準それぞれに基づいていくつかの異種のランク付けが決定され、これら異種のランク付けから、集合されたランク付けが生成されうる。１つの実例では、集合されたランク付けは、異種のランク付けの総和または重み平均でありうる。複数の技術のランク付けを生成するために、さまざまな統計メカニズム、分析的なメカニズム、学習メカニズムが適用されうることが認識されるべきである。
【００２８】
別の態様では、技術評価部２０２は、利用可能な技術の値またはランク付けのテーブルを保持しうる。サービス要求を受信すると、このテーブルは、適用する技術を決定するように要求される。例示によれば、通信装置２００は、サービス要求に関連付けられたサービスのタイプを決定するサービス確認モジュール２０４を含みうる。前述したように、サービスのタイプは、限定される訳ではないが、ビデオ・オン・デマンド、オーディオ・ストリーミング、メディア・ストリーミング、音声トラフィック（例えば、呼出）、インターネット・ブラウジング、電子メール、ショート・メッセージ・サービス（ＳＭＳ）、エンハンスト・メッセージング・サービス（ＥＭＳ）、マルチメディア・メッセージング・サービス（ＭＭＳ）、ボイス・オーバＩＰ（ＶｏＩＰ）、および／または、その他の適切なデータ転送サービスのような１または複数のタイプでありうる。サービス要求に関連付けられたサービスのタイプが決定されると、技術評価部２０６は、決定されたサービス要求タイプに関連付けられた、少なくとも最高のランク付けを持つ技術を確認するために、技術評価部２０２によって生成されたランク付けを尋ねうる。技術選択部２０６は、これら技術の適用、これら技術間での移行、これら技術のイネーブル、これら技術のディセーブル等を行うための通信装置２００の設定を容易にしうる。
【００２９】
例によれば、通信装置２００は、特定の技術においてアイドルになりうる。通信装置２００は、特定の技術を用いて動作するように構成されうるか、あるいは、特定技術によってアクセスを提供するが実際のデータ転送はしないアクセス・ポイントに接続されうる。アイドルである間、技術評価部２０２は、前述したように、利用可能な無線通信技術を評価しうる。サービス要求を受け取ると、サービス確認モジュール２０４は、この要求に関連付けられたサービスのタイプを決定しうる。技術選択部２０６は、サービスのタイプ、および、技術評価部２０２の評価に少なくとも部分的に基づいて、サービス要求のために適用する技術を決定しうる。通信装置２００は、選択された技術を用いて動作するように、あるいは、選択された技術へのアクセスを提供するアクセス・ポイントへ接続するように再設定されうる。
【００３０】
前述した例では、通信装置２００は、サービス要求に対してアイドルである特定の技術を提供しうることが認識されるべきである。それに加えて、通信装置２００は、サービス要求を受信すると、アクティブ状態にありうることが認識されるべきである。例えば、技術の切換が要求されると、通信装置２００は、技術変更前に、アクティブな転送を完了しうる。それに加えて、通信装置２００は、異種の技術における転送をスケジュールするために、競合解決メカニズムを利用しうる。
【００３１】
さらに、図示していないが、通信装置２００は、利用可能な技術を求める探索、利用可能な技術の評価、利用可能な技術のランク付け、要求に関連付けられたサービス・タイプの決定、評価に基づく技術の選択等に関連する命令群を保持するメモリを含みうることが認識されるべきである。さらに、メモリは、関連する命令群を含みうる。さらに、通信装置２００は、（例えば、メモリ内に保持された命令群、異種のソースから取得された命令群のような）命令群を実行することに関連して利用されうるプロセッサを含みうる。
【００３２】
図３に移って、複数の技術特性の分析を与える通信装置２００の例が図示される。図２に関連して前述したように、通信装置２００は、無線で通信するためのさまざまな技術を適用しうるマルチ・モード装置でありうる。通信装置２００は、利用可能な技術を分析し、ランク付けを生成する技術評価部２０２と、特定のサービス要求に関連付けられたサービスのタイプを決定するサービス確認モジュール２０４と、ランク付けおよびサービス・タイプに基づいて選択された適切な技術に対する通信装置２００の設定を容易にする技術選択部２０６とを含みうる。それに加えて、技術評価部２０２、サービス確認モジュール２０４、および技術選択部２０６は、図２を参照して上述した技術評価部２０２、サービス確認モジュール２０４、および技術選択部２０６と実質的に同一であり、実質的に同一の機能を実行しうることが認識されるべきである。
【００３３】
技術評価部２０２は、複数の特性および／または基準に基づいて、利用可能な技術の値およびランク付けを生成しうる。これら特性は、限定される訳ではないが、干渉レベル、コスト、パフォーマンス、電力消費量等のような要因を含みうる。さらに、技術評価部２０２は、サービス・タイプに関する値およびランク付けを生成しうる。例えば、おのおのの特性の値は、利用可能なおのおののサービス・タイプについて決定されうる。サービス・タイプは、ビデオ・オン・デマンド、オーディオ・ストリーミング、メディア・ストリーミング、音声トラフィック（例えば、呼出）、インターネット・ブラウジング、電子メール、ショート・メッセージ・サービス（ＳＭＳ）、エンハンスト・メッセージング・サービス（ＥＭＳ）、マルチメディア・メッセージング・サービス（ＭＭＳ）、ボイス・オーバＩＰ（ＶｏＩＰ）、および／または、その他の適切なデータ転送サービスを含みうる。
【００３４】
例示によれば、技術評価部２０２は、電力消費量に基づいて、利用可能な技術を評価するバッテリ電力分析モジュール３０２を含みうる。バッテリ電力分析モジュール３０２は、現在の電力レベル（例えば、残りのバッテリ・レベル）、および／または、（例えば、データ送信、データ受信等のような）サービス要求を満足するために消費される電力量を考慮しうる。例えば、バッテリ電力分析モジュール３０２は、電力を意識する特定の技術のために高い値を生成しうる。それに加えて、バッテリ電力分析モジュール３０２は、現在の電力レベルにしたがって、値を重み付けうる。例えば、通信装置２００がフルに充電されている場合には、電力消費値は低く重み付けられ、および／または、通信装置２００の電力が低い場合には、高く重み付けられうる。
【００３５】
技術評価部２０２はまた、ビットを送信するコストの観点から利用可能な技術を評価する送信コスト分析モジュール３０４を含みうる。例によれば、１つの技術（例えば、ＯＦＤＭＡ）は、ビットを送信するために、オペレータ料金、サービス契約、サービス領域、オーバレッジ等によって、他の技術（例えば、ＷｉＦｉ）よりも高いコストを費やしうる。それに加えて、送信コスト分析モジュール３０４によって生成された値は、さまざまなサービス・タイプに関連付けられた送信量に少なくとも部分的に基づいて重み付けられうる。例えば、ビデオ・オン・デマンド・サービスは、一般に、ＳＭＳメッセージよりも大量のデータを含みうる。それに加えて、送信コスト分析モジュール３０４は、例えば、キロ・バイト毎チャージ（例えば、インターネット・トラフィック）、または、フラット・チャージ（例えば、ＳＭＳメッセージ）のようなさまざまなコスト構造を考慮しうる。
【００３６】
技術評価部２０２は、無線通信技術に関連付けられた干渉レベルの確認、および、それにしたがった技術の評価を行いうる干渉分析モジュール３０６を含みうる。例えば、干渉分析モジュール３０６は、特定の時間において、高いレベルの干渉を受ける技術に対して、低い値を生成しうる。技術評価部２０２はまた、サービス・タイプの観点から、バッテリ電力分析モジュール３０２、送信コスト分析モジュール３０４、および干渉分析モジュール３０６によって提供される値の評価および／または収集を行いうるサービス要求分析モジュール３０８を含みうる。例えば、サービス要求分析モジュール３０８は、おのおののサービス・タイプに対する合成値を生成しうる。この合成値は、おのおののサービス・タイプに特有でありうるおのおののパラメータ（例えば、バッテリ電力、送信コスト、干渉分析等）のための重みを含みうる。例えば、１つのサービスは、プロセッサ集約的であるので、電力を激しく消費する。したがって、サービス要求分析モジュール３０８は、これら技術に対してより考慮するために、保守的な送信電力要件を用いて、バッテリ消費量をより高く重み付けしうる。別の例示によれば、サービス要求分析モジュール３０８は、干渉レベル裕度を求めるサービスを評価し、これら技術の干渉レベルに重み付けしうる。サービス要求分析モジュール３０８は、利用可能なおのおのの技術のために、およびおのおののサービス・タイプのために、合成値を生成しうる。
【００３７】
技術評価部２０２はさらに、おのおのの技術の合成値を体系化またはソートしうるランク付けモジュール３１０を含みうる。ランク付けモジュール３１０は、値による数値的なランク付け（例えば、最高から最低へ、最低から最高へ等）を提供するか、または、その他の基準にしたがってランク付けしうる。例えば、ランク付けモジュール３１０は、限定される訳ではないが、最大電力消費量、最大転送レート、最も信頼できる転送（例えば、最低干渉）等のような目標にしたがってランク付けしうる。ランク付けモジュール３１０は、サービス・タイプによって、値をインデクスしうる。それに加えて、ランク付けモジュール３１０は、インデクスされた合成値を、テーブルまたはその他のデータ構造内に保持しうる。技術評価部２０２は、必要であれば、保持したテーブルを定期的に更新しうる。例えば、通信装置２００は、利用可能な別の技術を用いて、新たな地理的領域に移動しうる。それに加えて、サービス要求が受信されると、テーブルは、技術の現在のランク付けをイネーブルするために、長いアイドル期間中に、更新されうる。
【００３８】
図４は、サービス要求および１または複数の基準に少なくとも部分的に基づいて、複数の技術からの技術の選択および評価を容易にするシステム４００を図示する。システム４００は、モバイル・デバイス４０２を含みうる。モバイル・デバイス４０２は、基地局、または（図示しない）アクセス・ポイント、および／または、任意の数の異種のデバイスと通信しうる。例えば、モバイル・デバイス４０２は、基地局、アクセス・ポイント、またはその他のプロバイダから、順方向リンク・チャネルすなわちダウンリンク・チャネルで情報を受信しうる。さらに、モバイル・デバイス４０２は、基地局またはアクセス・ポイントへ、逆方向リンク・チャネルすなわちアップリンク・チャネルで情報を送信しうる。さらに、モバイル・デバイス４０２は、ＭＩＭＯシステムにおいて動作可能でありうる。それに加えて、モバイル・デバイス４０２は、ＯＦＤＭＡ無線ネットワークにおいて動作しうる。それに加えて、システム５００は、ＯＦＤＭＡ無線ネットワーク（例えば、３ＧＰＰ、３ＧＰＰ２、３ＧＰＰ  ＬＴＥ等）で動作しうる。
【００３９】
モバイル・デバイス４０２は、おのおののサービス・タイプについて、おのおのの技術に対する値を生成するために、複数の特性を考慮して、利用可能な技術を分析する技術評価部２０２を含みうる。モバイル・デバイス４０２はまた、サービス要求の取得、および、関連付けられたサービス・タイプの決定を行うサービス確認モジュール２０４を含みうる。モバイル・デバイス４０２はさらに、技術評価部２０２による評価および決定されたサービス・タイプに基づいて、技術選択を行う技術選択部２０６を含みうる。技術評価部２０２、サービス確認モジュール２０４、および技術選択部２０６は、図２および図３を参照して前述されたものと同様に付番されたモジュールと実質的に同じであり、同じ機能を提供しうることが認識されるべきである。
【００４０】
モバイル・デバイス４０２は、ＱＯＳテーブル４０６を保持するデータ・ストア４０４を含みうる。ＱＯＳテーブル４０６は、技術評価部２０２によって評価された利用可能な無線通信技術に対する値を含みうる。一例では、取得されたサービス要求の確認されたタイプに基づいて技術を求めるための、ＱＯＳテーブルの効率的な問い合わせを可能にするために、これら値が、サービス・タイプによってインデクスされうる。
【００４１】
図５に手短に戻ると、テーブル５００の例が図示される。テーブル５００は、図４を参照して説明したテーブル４０６と同様な利用可能な無線通信技術のＱＯＳ値および／またはランク付けを含みうる。さらに、テーブル５００は、データ・ストア４０４によって保持されうる。図示された例では、テーブル５００は、２つのカラムを含む。ここで、第１のカラム５０２は、サービス・タイプを指定し、第２のカラム５０４は、技術のアレイを含む。したがって、各ロウは、前述したように、複数の特性および／または基準に基づいて順序付けされた、すなわち、ランク付けされた技術のアレイおよびサービス・タイプを含む。例えば、テーブル５００のセル５０６は、音声トラフィックのサービス・タイプを含みうる。音声トラフィックに特有の特性に基づいてランク付けされた技術のアレイを保持するセル５０８には、セル５０６が対応する。同様に、（例えば、ブラウジング、ビデオ等のような）その他のサービス・タイプのためにその他のアレイが保持される。技術ランク付けは、サービス・タイプによって特定化され、サービス・タイプによってインデクスされるので、技術のアレイを取得するために、サービス・タイプを用いてテーブル５００に問い合わせることにより、適切な技術が選択されうる。テーブル５００は、３つのサービス・タイプと、長さ４からなるアレイを示しているが、テーブルには、その他のサービス・タイプも含まれ、アレイの長さは、利用可能な無線通信技術の数に等しいことが認識されるべきである。
【００４２】
図４に戻って、技術選択部２０６は、サービス確認モジュール２０４によって決定されたサービス・タイプを用いて、ＱＯＳテーブル４０６に問い合わせうる。ＱＯＳテーブル４０６は、前述したテーブル５００と同様であるか、サービス・タイプによってインデクスする別のスキーマにしたがって構成されうる。技術選択部２０６は、ＱＯＳテーブル４０６から取得された技術のランク付けまたはアレイから、最初の技術、すなわち、先頭の技術を選択しうる。モバイル・デバイス４０２は、技術を選択した後、選択された技術を適用し、サービス要求に応え始めるように再設定されうる。
【００４３】
データ・ストア４０４は、例えば、揮発性メモリか不揮発性メモリかの何れかであるか、あるいは、揮発性および不揮発性の両方のメモリを含みうることが認識されるべきである。限定ではなく例示によって、不揮発性メモリは、読取専用メモリ（ＲＯＭ）、プログラマブルＲＯＭ（ＰＲＯＭ）、ＥＰＲＯＭ（ＥＰＲＯＭ）、電気的消去可能なプログラマブルＲＯＭ（ＥＥＰＲＯＭ）、またはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、スタティックＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、ラムバス・ダイレクトＲＡＭ（ＲＤＲＡＭ）、ダイレクト・ラムバス・ダイナミックＲＡＭ（ＤＲＤＲＡＭ）、およびラムバス・ダイナミックＲＡＭのような多くの形式で利用可能である。主題となるシステムおよび方法のデータ・ストア４０４は、限定されることなく、これらおよびその他の適切なタイプのメモリを備えることが意図される。
【００４４】
図６−８を参照して、複数の特性にしたがって、利用可能な無線技術をランク付けることに関連する方法が説明される。説明の単純性の目的のために、これら方法が一連の動作として図示および説明されるが、いくつかの動作は、１または複数の実施形態にしたがって、本明細書に図示および記載されたものとは異なる順序で、および／またたは、本明細書に図示および記載されたものとは異なる動作と同時に、引き起こりうるので、これら方法が、動作の順序によって制限されないことが理解および認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００４５】
図６に移って、複数の特性に基づいて、１または複数の技術をリストするテーブルを生成することを容易にする方法６００が例示される。特に、方法６００は、利用可能な無線通信技術を評価しランク付けるために、モバイル・デバイスまたはその他の通信装置によって適用されうる。利用可能な無線通信技術は、無線通信をイネーブルおよび実現する技術を含み、限定されることなく、Ｗｉ−Ｆｉ（例えば、ＩＥＥＥ  ８０１．１１）、ＷｉＭＡＸ）（例えば、ＩＥＥＥ  ８０２．１６）、ＣＤＭＡ符号および／または別のＣＤＭＡ符号、ＴＤＭＡ、ＦＤＭＡ、ＯＦＤＭＡ、ＬＴＥ、ＧＳＭ、ＵＭＴＳ、ＵＴＲＡ、Ｅ−ＵＴＲＡ、ＣＤＭＡ２０００、Ｗ−ＣＤＭＡ、ＵＭＢ、Ｂｌｕｅｔｏｏｔｈ、ＥＶ−ＤＯ、ＨＳＰＡ等を含みうる。マルチモード・モバイル・デバイスが特定領域においてこの技術を利用できる場合（例えば、適切な技術プロバイダがサービス提供可能である場合）、この技術は、利用可能であると考えられうる。参照番号６０２では、複数の技術の特性が取得される。これら複数の技術は、特定領域（例えば、地理的な領域）において利用可能な技術を含みうる。これら特性は、モバイル・デバイスの外部のもの（例えば、技術で経験される干渉レベル、コスト、パフォーマンス）、および／または、モバイル・デバイスの内部のもの（例えば、電力消費量）でありうる。それに加えて、複数の技術のおのおのの技術の特性が、適用されうるおのおののサービス・タイプについて取得されうる。例えば、サービス・タイプは、ビデオ・オン・デマンド、オーディオ・ストリーミング、メディア・ストリーミング、音声トラフィック（例えば、呼出）、インターネット・ブラウジング、電子メール、ショート・メッセージ・サービス（ＳＭＳ）、エンハンスト・メッセージング・サービス（ＥＭＳ）、マルチメディア・メッセージング・サービス（ＭＭＳ）、ボイス・オーバＩＰ（ＶｏＩＰ）、および／または、その他の適切なデータ転送サービスを含みうる。技術の特性は、サービス・タイプに依存して変わりうる。例えば、バッテリ消費量は、同じ技術において、音声トラフィックのためのビデオ・オン・デマンド・サービスのための特定の技術について、より多くなりうる。
【００４６】
参照番号６０４では、取得された特性に少なくとも部分的に基づいて、複数の技術が分析され、ランク付けされうる。複数の技術は、さまざまな基準にしたがって分析およびランク付けされうる。基準は、所望のランク付けを生成するために、特性に適用するさまざまなヒューリスティックおよび／または重み付けを提供しうる。例えば、基準は、最小コスト技術、最高データ・レート技術、最高信号対雑音比技術、最大電力保存技術等のような目標に対応しうる。適用される基準は、取得された特性を、おのおのの技術／サービス・タイプ・ペアリングについて組み合わせるために利用されるメカニズムに影響を与えうる。例えば、選択された基準に関連付けられて適用されたヒューリスティックスにおける相違が、特性に由来する合成値に影響を与える場合がある。おのおのの技術／サービス・タイプ・ペアリングの合成値は、数値的に、あるいは、その他いくつかの適切な技術にしたがってランク付けされうる。
【００４７】
参照番号６０６では、テーブルが構築され、保持されうる。このテーブルは、技術のランク付けを含みうる。それに加えて、このテーブルは、利用可能な技術の適切なランク付けの効率的な問い合わせを可能にするために、サービス・タイプにしたがってインデクスされうる。例えば、テーブルは、サービス・タイプに関連付けられた特性にしたがって順序付けられた技術のアレイおよびサービス・タイプのおのおのを含みうる。
【００４８】
図７に参照して示すように、１または複数の技術をランク付けるテーブルに基づいて、最適な技術の選択を容易にする方法７００が例示される。参照番号７０２では、サービス要求が取得されうる。サービス要求は、トラフィック・セッションを開始するとの要求を示す入力でありうる。サービス要求は、特定のサービス・タイプに関連付けられうる。参照番号７０４では、最高ランクの技術が判定されうる。例示によれば、テーブルは、このような判定のために利用されうる。利用されるこのテーブルは、図４、５、６に関して上述したテーブルと実質的に同一であるか、あるいは、図４、５、６に関して上述したテーブルと同じ情報を保持しうる。一例では、テーブルは、サービス・タイプによってランク付けされた技術を、インデクスしうる。テーブルは、特定のタイプに関連付けられた技術のランキングを得るために、サービス・タイプによって問い合わされうる。ランク付けは、最適な（例えば、最高のランクを持つ）技術を判定するために分析されうる。参照番号７０６では、最適な技術を用いて、トラフィック・セッションが開始されうる。方法７００を適用するモバイル・デバイスあるいはその他の適切な通信装置は、判定された最適技術にしたがって動作するように再設定されうる。モバイル・デバイスはすでに、最適技術を運用するように構成されているか、および／または、最適技術に接続されていることが理解されるべきである。このような事例では、トラフィック・セッションが、再設定または再接続無しで開始されうる。
【００４９】
図８に移って、最適技術でトラフィック・セッションを開始することを容易にする方法８００が例示される。方法８００は、例えば、複数の異なる通信技術および／または異なる通信ネットワークを用いて動作することが可能なマルチ・モード・モバイル・デバイスによって適用されうる。参照番号８０２では、デフォルト技術が、アイドル・オンされる。デフォルト技術は、予め決定された設定、好みによって選択された設定、最も頻繁に利用される設定等でありうる。それに加えて、アイドル・オンされたデフォルト技術は、最も直近に利用された技術でありうる。
【００５０】
参照番号８０４では、特性を判定するために、システムおよび／または利用可能な技術が探索される。特性は、技術における干渉レベル、技術においてデータのビットを送信するためのコスト、技術における送信および受信中の電力消費量、技術に適したサービス・タイプ、等を含みうる。参照番号８０６では、判定された特性に基づいてテーブルが生成される。一例では、おのおのの技術の特性が、利用可能なおのおののサービス・タイプについて個々に判定されうる。これら特性は、サービス・タイプに関連する技術の集合値を生成するために分析されうる。この分析は、サービス・タイプの要件、および／または、技術をランク付けするために選択された基準または目標（例えば、最高データ・レート、最低電力消費量、最高信頼度等）に基づいて、異なる特性に対して重み付けを与えることを含みうる。おのおののサービス・タイプに対するおのおのの技術の集合値は、テーブルにおけるサービス・タイプにしたがってランク付けおよびインデクスされうる。
【００５１】
参照番号８０８では、サービス要求が受信されると、トラフィック状態への移行が引き起こる。パフォーマンス、電力消費量、コスト等の間の最適なトレードオフを達成するために、あるいは、選択された基準または目標を達成するために、サービスのために適用された技術が再設定されうる。参照番号８１０では、テーブルは、受信されたサービス要求に基づいて問い合わされうる。例示によれば、この問い合わせは、ランク付けされた技術のベクトルのアレイＱを、ベクトルのアレイの最初の要素（例えば、Ｑ[１]）が、最高ランクの技術に対応するように返す。それに加えて、この問い合わせは、最高ランクの技術を直接的に返しうる。
【００５２】
参照番号８１２では、返された技術（例えば、サービス・タイプについて最高ランクの技術）が、デフォルト技術と同一であるかの判定がなされる。返された技術とデフォルト技術とが同一の場合、方法８００は、参照番号８１４に進み、デフォルト技術によってトラフィック・セッションが開始される。返された技術が、デフォルト技術と同一ではないと参照番号８１２において判定された場合、方法８００は、参照番号８１６に進む。８１６では、返された技術で、トラフィック・セッションが開始される。例えば、モバイル・デバイスあるいはその他の通信装置は、セッションの開始前に、返された技術を用いて動作するように再設定されうる。
【００５３】
本明細書に記載された１または複数の態様によれば、特性を重み付けること、ランク付け基準を選択すること、ヒューリスティックを適用すること、技術を移行すること等に関して推論がなされることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５４】
図９は、開示された主題の態様にしたがって、無線通信システムにおいてモバイル・デバイスに関連付けられた通信を容易にしうるモバイル・デバイス９００の例示である。モバイル・デバイス９００は、例えば、システム１００、システム２００、およびシステム４００に関連して、本明細書において詳しく説明されたモバイル・デバイス１１６、モバイル・デバイス４０２、あるいは通信装置２００と同一または類似しているか、および／または、同一または類似の機能を備えうることが認識されるべきである。
【００５５】
モバイル・デバイス９００は、例えば、（図示しない）受信アンテナから信号を受信し、受信した信号について一般的な動作（例えば、フィルタ、増幅、ダウンコンバート等）を実行し、これら調整された信号をデジタル化して、サンプルを得る受信機９０２を備えうる。受信機９０２は、例えばＭＭＳＥ受信機であり、受信したシンボルを復調し、それらをチャネル推定のためにプロセッサ９０６へ送る復調器９０４を備えうる。プロセッサ９０６は、受信機９０２によって受信された情報の分析、および／または、送信機９０８による送信のための情報の生成に特化されたプロセッサ、モバイル・デバイス９００の１または複数の構成要素を制御するプロセッサ、および／または、受信機９０２によって受信された情報を分析し、送信機９０８による送信のための情報を生成し、モバイル・デバイス９００の１または複数の構成要素を制御するプロセッサでありうる。モバイル・デバイス９００はさらに、例えば、基地局（例えば、１０２）、別のモバイル・デバイス（例えば、１２２）等へ信号（例えば、データ）を送信することを容易にするために、送信機９０８と連携して動作しうる変調器９１０を備えうる。
【００５６】
１つの態様では、プロセッサ９０６は、複数の特性に基づいて、利用可能な無線通信技術のランク付けを生成する技術評価部２０２に接続されうる。一例では、技術評価部２０２は、ランク付けを定期的に更新し、このランク付けを、テーブルに保持しうる。それに加えて、技術評価部２０２は、サービス要求を受信すると、効率的な問い合わせを可能にするために、サービス・タイプによってランク付けをインデクスしうる。別の態様では、プロセッサ９０６は、受信したサービス要求に関連付けられたサービス・タイプを決定するサービス確認モジュール２０４に接続されうる。例えば、サービス要求は、限定される訳ではないが、ビデオ・オン・デマンド、オーディオ・ストリーミング、メディア・ストリーミング、音声トラフィック（例えば、呼出）、インターネット・ブラウジング、電子メール、ショート・メッセージ・サービス（ＳＭＳ）、エンハンスト・メッセージング・サービス（ＥＭＳ）、マルチメディア・メッセージング・サービス（ＭＭＳ）、ボイス・オーバＩＰ（ＶｏＩＰ）、および／または、その他の適切なデータ転送サービスのようなタイプを有しうる。プロセッサ９０６はまた、決定されたサービス・タイプおよび評価されたランク付けに基づいて、最適技術の選択を容易にする技術選択部２０６に接続されうる。
【００５７】
モバイル・デバイス９００はさらに、プロセッサ９０６に動作可能に接続されたメモリ９１２を備えうる。このメモリ９１２は、送信されるべきデータ、受信されたデータ、利用可能なチャネルに関連する情報、分析された信号および／または干渉強度に関連付けられたデータ、割り当てられたチャネルや電力やレート等に関連する情報、および、チャネルの推定とチャネルを介した通信のために適切なその他任意の情報を格納しうる。メモリ９１２はさらに、（例えば、パフォーマンス・ベース、キャパシティ・ベース等での）チャネルの推定および／または利用に関連付けられたアルゴリズムおよび／またはプロトコルを格納しうる。さらに、メモリ９１２は、システム特性の分析から生成された技術ランクを含むテーブルまたはその他のデータ構造を保持しうる。
【００５８】
本明細書に記載されたデータ・ストア（例えば、メモリ９１２）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ９１２は、限定される訳ではないが、これらおよびその他任意の適切なタイプのメモリを備えることが意図される。
【００５９】
技術評価部２０２、サービス確認モジュール２０４、技術選択部２０６、およびメモリ９１２はおのおの、例えば、システム２００、システム３００、およびシステム４００に関して本明細書でより十分に説明されたような各構成要素と同一または類似しているか、あるいは、同一または類似の機能を備えうることが認識および理解されるべきである。技術評価部２０２、サービス確認モジュール２０４、技術選択部２０６、およびメモリ９１２はおのおの、要望に応じて、（図示するように）スタンド・アロンのユニットでありうるか、プロセッサ９０６内に含められうるか、他の構成要素内に組み込まれうるか、および／または、実質的にこれら任意の適切な組み合わせでありうることがさらに認識および理解されるべきである。
【００６０】
図１０は、開示された主題の態様にしたがって、無線通信システムにおけるモバイル・デバイスに関連付けられた通信を容易にするシステム１０００の実例である。システム１０００は、基地局１０２（例えば、アクセス・ポイント）を備えうる。基地局１０２は、複数の受信アンテナ１００４を介して１または複数のモバイル・デバイス１１６から信号を受信しうる受信機１００２と、送信アンテナ１００８を介して１または複数のモバイル・デバイス１１６に信号（例えば、データ）を送信しうる送信機１００６とを含みうる。受信機１００２は、受信アンテナ１００４から情報を受信しうる。そして、受信した情報を復調しうる復調器１０１０と動作可能に関連付けられうる。復調されたシンボルは、受信機１００２によって受信された情報の分析、および／または、送信機１００６による送信のための情報の生成に特化されたプロセッサ、基地局１０２の１または複数の構成要素を制御するプロセッサ、および／または、受信機１００２によって受信された情報の分析と、送信機１００６による送信のための情報の生成と、基地局１０２の１または複数の構成要素の制御との両方を行うプロセッサでありうるプロセッサ１０１２によって分析されうる。基地局１０２はまた、例えばモバイル・デバイス１１６や他のデバイス等へ信号（例えば、データ）を送信することを容易にするために、送信機１００６と連携して動作する変調器１０１４を備えうる。
【００６１】
基地局１０２はさらに、プロセッサ１０１２に動作可能に接続されたメモリ１０１６を備えうる。このメモリは、送信されるべきデータや、受信したデータや、利用可能なチャネルに関連する情報や、分析された信号および／または干渉強度に関連付けられたデータや、割り当てられたチャネル、電力、レート等に関連する情報や、チャネルの推定およびチャネルを介した通信のために適切なその他任意の情報を格納しうる。メモリ１０１６はさらに、（例えば、パフォーマンス・ベース、キャパシティ・ベース等での）チャネルの推定および／または利用に関連付けられたアルゴリズムおよび／またはプロトコルを格納しうる。
【００６２】
本明細書に記載されたメモリ１０１６は、揮発性メモリか不揮発性メモリの何れかであるか、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１０１６は、限定される訳ではないが、これらおよびその他任意の適切なタイプのメモリを備えることが意図される。
【００６３】
図１１は、無線通信システム１１００の例を示す。無線通信システム１１００は、簡潔さの目的で、１つの基地局１１１０と１つのモバイル・デバイス１１５０とを示している。しかしながら、システム１１００は、１より多い基地局、および／または、１より多いモバイル・デバイスを含むことができ、これら追加の基地局および／またはモバイル・デバイスは、以下に説明する基地局１１１０およびモバイル・デバイス１１５０の例と実質的に同じでも、別のものでもありうることが認識されるべきである。それに加えて、基地局１１１０および／またはモバイル・デバイス１１５０は、その間の無線通信を容易にするために、システム（図１、２、３、４および図９、１０および１２）、および／または方法（図６−８）を適用しうることが認識されるべきである。
【００６４】
基地局１１１０では、多くのデータ・ストリームのためのトラフィック・データが、データ・ソース１１１２から送信（ＴＸ）データ・プロセッサ１１１４へ提供される。一例によれば、おのおののデータ・ストリームが、それぞれのアンテナを介して送信される。ＴＸデータ・プロセッサ１１１４は、トラフィック・データ・ストリームをフォーマットし、このデータ・ストリームのために選択された特定の符合化スキームに基づいて符号化し、インタリーブして、符合化されたデータを提供する。
【００６５】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１１５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１１３０によって実行または提供される指示によって決定されうる。
【００６６】
データ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔへ提供する。さまざまな実施形態において、ＴＸ  ＭＩＭＯプロセッサ１１２０は、データ・ストリームのシンボル、および、そのシンボルが送信されるアンテナへ、ビームフォーミング重みを適用する。
【００６７】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号が、ＮＴ個のアンテナ１１２４ａ乃至１１２４ｔから送信される。
【００６８】
モバイル・デバイス１１５０では、送信された変調信号が、ＮＲ個のアンテナ１１５２ａ乃至１１５２ｒによって受信され、各アンテナ１１５２から受信された信号が、それぞれの受信機（ＲＣＶＲ）１１５４ａ乃至１１５４ｒへと提供される。おのおのの受信機１１５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６９】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、そのデータ・ストリームのためのトラフィック・データを復元する。ＲＸデータ・プロセッサ１１６０による処理は、基地局１１１０におけるＴＸ  ＭＩＭＯプロセッサ１１２０およびＴＸデータ・プロセッサ１１１４によって実行されるものと相補的である。
【００７０】
プロセッサ１１７０は、上述したように、どの事前符号化行列を使用するのかを定期的に決定する。さらに、プロセッサ１１７０は、行列インデクス部およびランク値部を備えた逆方向リンク・メッセージを規定することができる。
【００７１】
逆方向リンク・メッセージは、通信リンクおよび／または受信されたデータ・ストリームに関するさまざまなタイプの情報を備えうる。逆方向リンク・メッセージは、データ・ソース１１３６から多くのデータ・ストリームのトラフィック・データをも受け取るＴＸデータ・プロセッサ１１３８によって処理され、変調器１１８０によって変調され、送信機１１５４ａ乃至１１５４ｒによって調整され、基地局１１１０へと送り返される。
【００７２】
基地局１１１０では、モバイル・デバイス１１５０からの変調信号が、アンテナ１１２４によって受信され、受信機１１２２によって調整され、復調器１１４０によって復調され、ＲＸデータ・プロセッサ１１４２によって処理されることにより、モバイル・デバイス１１５０によって送信された逆方向リンク・メッセージが抽出される。さらに、プロセッサ１１３０は、ビームフォーミング重みを決定するためにどの事前符合化行列を使用するかを決定するために、この抽出されたメッセージを処理する。
【００７３】
プロセッサ１１３０およびプロセッサ１１７０は、基地局１１１０およびモバイル・デバイス１１５０それぞれにおける動作を指示（例えば、制御、調整、管理等）する。プロセッサ１１３０およびプロセッサ１１７０はそれぞれ、プログラム・コードおよびデータを格納するメモリ１１３２およびメモリ１１７２に関連付けられうる。プロセッサ１１３０およびプロセッサ１１７０はまた、アップリンクおよびダウンリンクそれぞれのための周波数およびインパルス応答推定値を導出する計算をも実行する。
【００７４】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７５】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。
【００７６】
コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７７】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７８】
図１２を参照して、最適技術の選択を容易にするシステム１２００が例示される。例えば、システム１２００は、基地局、モバイル・デバイス等の中に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、利用可能な技術に関連する複数の特性を取得するための電子構成要素１２０４を含みうる。例えば、ＰＤＣＰレイヤにおいてデータ・パケットに基づいて生成されたプロトコル・データ・ユニットが、ラジオ・リンク制御レイヤに到達した場合、タイマが起動され、関連付けられうる。さらに、論理グループ１２０２は、利用可能なおのおのの技術のための集合値を生成するための電子構成要素１２０６を備えうる。さらに、論理グループ１２０２は、利用可能な技術を、集合値にしたがってランク付けするための電子構成要素１２０８を備えうる。例示によれば、タイマ終了時に、データ・パケットが未だにパケット・データ収束プロトコル・レイヤに存在している場合、データ・パケットが破棄される。論理グループ１２０２は、サービス要求を受信すると、ランク付けから技術を選択するための電子構成要素１２１０を備えうる。さらに、論理グループ１２０２は、選択された技術にしたがってモバイル・デバイスを動作させるように設定するための電子構成要素１２１２を含みうる。それに加えて、論理グループ１２０２は、技術のランク付けをテーブルに保持するための電子構成要素１２１４を備えうる。さらに、システム１２００は、電子構成要素１２０４、１２０６、１２０８、１２１０、１２１２、１２１４に関連付けられた機能を実行するための命令群を保持するメモリ１２１６を含みうる。メモリ１２１６の外側にあるとして示されているが、電子構成要素１２０４、１２０６、１２０８、１２１０、１２１２、１２１４のうちの１または複数は、メモリ１２１６内に存在しうることが理解されるべきである。
【００７９】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願の当初の特許請求の範囲に記載された発明を付記する。
[Ｃ１]
マルチ・モード・モバイル・デバイスにおける最適な通信技術の適用を容易にする方法であって、
前記マルチ・モード・モバイル・デバイスに利用可能な通信技術を決定することと、
利用可能なおのおのの通信技術に関連する複数の特性を取得することと、
前記利用可能なおのおのの通信技術に関連付けられた値を生成するために、前記取得された特性を分析することと、
生成された値に少なくとも部分的に基づいて、前記利用可能な通信技術をランク付けすることと
を備える方法。
[Ｃ２]
サービス・タイプによってインデクスされたテーブル内に、前記利用可能な通信技術のランク付けを保持することをさらに備えるＣ１に記載の方法。
[Ｃ３]
特定のサービス・タイプに関連付けられたサービス要求を受信することと、
少なくとも、前記サービス要求に関連付けられた特定のサービス・タイプのランク付けを、前記テーブルに対して問い合わせることと、
前記サービス要求のサービス・タイプに関連付けられた、最高ランクの通信技術を取得することと
をさらに備えるＣ２に記載の方法。
[Ｃ４]
前記最高ランクの通信技術を適用するように、前記マルチ・モード・モバイル・デバイスを設定することをさらに備えるＣ３に記載の方法。
[Ｃ５]
前記サービス要求に応えるために、前記最高ランクの通信技術でトラフィック・セッションを開始することをさらに備えるＣ４に記載の方法。
[Ｃ６]
前記取得された特性を分析することは、前記マルチ・モード・モバイル・デバイスにアクセス可能なおのおののサービス・タイプの観点から、利用可能なおのおのの通信技術のための特性を個別に分析することを含むＣ１に記載の方法。
[Ｃ７]
前記利用可能なおのおのの通信技術に関連付けられた生成された値は、前記取得された特性の集合を含み、前記集合は、１または複数の基準にしたがって決定されるＣ１に記載の方法。
[Ｃ８]
前記１または複数の基準は、最低電力消費量、最高データ・レート、最低干渉、または最低送信コストのうちの少なくとも１つを含むＣ７に記載の方法。
[Ｃ９]
無線通信技術を切り換えることを容易にする装置であって、
利用可能な複数の無線通信技術の１または複数の特性の分析に少なくとも部分的に基づいて、前記利用可能な複数の無線通信技術のランク付けを生成する技術評価部と、
特定のタイプのトラフィック・セッションを開始する要求を含む、到来するサービス要求に関連付けられたサービス・タイプを決定するサービス確認モジュールと、
決定されたサービス・タイプおよび生成されたランク付けに少なくとも部分的に基づいて、前記複数の無線通信技術から技術を選択する技術選択部と
を備える装置。
[Ｃ１０]
利用可能な複数の無線通信技術を、電力消費量に基づいて評価する電力分析モジュールをさらに備えるＣ９に記載の装置。
[Ｃ１１]
利用可能な複数の無線通信技術を、少なくとも１ビットを送信するためのコストにしたがって評価する送信コスト分析モジュールをさらに備えるＣ９に記載の装置。
[Ｃ１２]
前記利用可能な複数の無線通信技術において経験された干渉レベルを確認する干渉分析モジュールさらに備えるＣ９に記載の装置。
[Ｃ１３]
前記利用可能な複数の無線通信技術の１または複数の特性を、サービス・タイプに少なくとも部分的に基づいて評価するサービス要求分析モジュールをさらに備えるＣ９に記載の装置。
[Ｃ１４]
前記サービス要求分析モジュールは、前記１または複数の特性に関連付けられた値から、おのおののサービス・タイプの合成値を生成するＣ１３に記載の装置。
[Ｃ１５]
おのおののサービス・タイプの、生成された合成値をソートするランク付けモジュールをさらに備えるＣ１３に記載の装置。
[Ｃ１６]
前記技術評価部は、おのおののサービス・タイプが、ユニークなランク付けに対応するように、サービス・タイプにしたがってインデクスされたランク付けのテーブルを生成するＣ９に記載の装置。
[Ｃ１７]
サービス・タイプに基づいて通信技術を切り換えることを容易にする無線通信装置であって、
１または複数の利用可能な無線通信技術について、複数の特性を取得する手段と、
取得された特性、サービス・タイプ、および、１または複数の基準に少なくとも部分的に基づいて、利用可能なおのおのの無線通信技術の集合値を生成する手段と、
おのおのの無線通信技術の集合値にしたがって、利用可能な無線通信技術をランク付ける手段と、
サービス要求を受信すると、前記利用可能な無線通信技術のランク付けから、技術を選択する手段と、
前記選択された技術にしたがって動作するようにモバイル・デバイスを設定する手段と
を備える無線通信装置。
[Ｃ１８]
無線通信技術のランク付けを保持するテーブルを生成する手段をさらに備えるＣ１７に記載の無線通信装置。
[Ｃ１９]
前記無線通信技術のランク付けが、サービス・タイプにしたがってインデクスされるＣ１８に記載の無線通信装置。
[Ｃ２０]
前記複数の特性は、少なくとも、無線通信技術で経験された干渉レベル、無線通信技術においてビットを送信するためのコスト、無線通信技術のデータ・レート、または、無線通信技術で送信および受信するための電力消費量を含むＣ１７に記載の無線通信装置。
[Ｃ２１]
コンピュータ読取可能媒体を備えるコンピュータ・プログラム製品であって、
前記コンピュータ読取可能媒体は、
少なくとも１つのコンピュータに対して、特定の地理的領域で利用可能な無線通信技術を確認させるためのコードと、
おのおのの無線通信技術に関連する複数の特性を取得するために、前記少なくとも１つのコンピュータに対して、前記利用可能な無線通信技術を探索させるためのコードと、
利用可能なおのおのの無線通信技術に関連付けられた値を生成するために、前記少なくとも１つのコンピュータに対して、取得された特性を分析させるためのコードと、
生成された値に少なくとも部分的に基づいて、前記少なくとも１つのコンピュータに対して、利用可能な無線通信技術を準備させるためのコードと
を備えるコンピュータ・プログラム製品。
[Ｃ２２]
前記コンピュータ読取可能媒体はさらに、前記少なくとも１つのコンピュータに対して、サービス・タイプによってインデクスされたテーブル内に、利用可能な無線通信技術のランク付けを保持させるためのコードを備えるＣ２１に記載のコンピュータ・プログラム製品。
[Ｃ２３]
前記コンピュータ読取可能媒体はさらに、
前記少なくとも１つのコンピュータに対して、特定のサービス・タイプに関連付けられたサービス要求を取得させるためのコードと、
前記少なくとも１つのコンピュータに対して、少なくとも、前記サービス要求に関連付けられた特定のサービス・タイプのランク付けを、前記テーブルに問い合わせさせるためのコードと、
前記少なくとも１つのコンピュータに対して、前記サービス要求のサービス・タイプに関連付けられた、最高ランクの無線通信技術を取得させるためのコードと
を備えるＣ２２に記載のコンピュータ・プログラム製品。
[Ｃ２４]
前記コンピュータ読取可能媒体はさらに、前記少なくとも１つのコンピュータに対して、前記最高ランクの無線通信技術を適用するように、マルチ・モード・モバイル・デバイスを設定させるためのコードを備えるＣ２３に記載のコンピュータ・プログラム製品。
[Ｃ２５]
前記コンピュータ読取可能媒体はさらに、前記少なくとも１つのコンピュータに対して、前記サービス要求に応えるために、前記最高ランクの無線通信技術でトラフィック・セッションを開始させるためのコードを備えるＣ２４に記載のコンピュータ・プログラム製品。
【図１】
0005475009.tif 000002
【図２】
0005475009.tif 000003
【図３】
0005475009.tif 000004
【図４】
0005475009.tif 000005
【図５】
0005475009.tif 000006
【図６】
0005475009.tif 000007
【図７】
0005475009.tif 000008
【図８】
0005475009.tif 000009
【図９】
0005475009.tif 000010
【図１０】
0005475009.tif 000011
【図１１】
0005475009.tif 000012
【図１２】
0005475009.tif 000013